(57)【特許請求の範囲】
【請求項１】
携帯端末が番組の視聴を開始すると、当該番組と同じ番組を録画するステップと、
前記番組の視聴に対する障害を示す状態情報を前記携帯端末から受信するステップと、
前記携帯端末から受信した状態情報に基づいて、前記番組視聴に障害が発生した場合は、前記録画した番組を保存し、前記番組視聴に障害がない場合は、前記録画した番組を消去するステップと、
を具えることを特徴とする記録方法。
【請求項２】
携帯端末が番組の視聴を開始すると、当該番組と同じ番組を録画する録画手段と、
前記番組の視聴に対する障害を示す状態情報を前記携帯端末から受信する受信手段と、
前記受信手段により前記携帯端末から受信した状態情報に基づいて、前記番組視聴に障害が発生した場合は、前記録画手段により録画した番組を保存し、前記番組視聴に障害がない場合は、前記録画手段により録画した番組を消去するように制御する制御手段と、
を具えることを特徴とする記録装置。
【発明の詳細な説明】
【技術分野】
【０００１】
本発明は、携帯端末にてテレビ視聴すると録画を開始し、視聴終了時に送られてくるテレビ視聴中の状態を示す情報に応じて録画データを加工し又は消去する記録方法及び装置に関する。
【背景技術】
【０００２】
従来、外出先からビデオ等の記録再生装置の操作を行うために、色々な方法が行われてきた。ビデオの番組録画を外出先から操作する例として、既存の電話機とビデオデッキをケーブルで接続し、電話のトーン信号を用いてビデオを操作する方法があった。また、テレビチューナ等を搭載したマルチメディアパソコンに対して、外出先からＰＤＡ等を用いて、ビデオ予約する方法もある。
【０００３】
最近ではテレビ視聴可能な携帯電話が出現したことにより、リアルタイムにテレビ視聴する事も出来るようになってきており、携帯電話のような携帯端末を用いて外出先から録画再生機器のビデオ予約を行う方法が提案されている（例えば、特許文献１）。
【特許文献１】特開２００３−１２５４６９号公報
【発明の開示】
【発明が解決しようとする課題】
【０００４】
しかしながら、携帯端末でテレビを視聴する場合、電波状況の変化が激しいため、視聴中に画像が途切れたり、見られなくなることがある。また、携帯端末に代表される携帯電話機への着信又はメール受信に伴う一連の動作により、視聴者の意志にかかわらず視聴を中断させらたりすることがある。そのため、自分の意志に反した視聴中断で内容が気になることが多々あるが、携帯電話でのテレビ視聴の場合、予定していた番組を見ることが少ないので、自宅の記録装置に予約録画をすることもない。したがって、携帯端末に対する電波状態が変化したり、携帯端末の動作（通話、メールの受信等）によっては、後に視聴するためにテレビ番組の録画が所望されることがある。
【０００５】
本発明の目的は、携帯端末に対する電波状態の変化又は携帯端末の動作に応じてテレビ番組の録画を行うことができる記録方法及び装置を提供することである。
【課題を解決するための手段】
【０００６】
本発明による記録方法は、携帯端末が番組の視聴を開始すると、当該番組と同じ番組を録画するステップと、前記番組の視聴に対する障害を示す状態情報を前記携帯端末から受信するステップと、前記携帯端末から受信した状態情報に基づいて、前記番組視聴に障害が発生した場合は、前記録画した番組を保存し、前記番組視聴に障害がない場合は、前記録画した番組を消去するステップとを具えることを特徴とする。
【０００７】
本発明による記録装置は、携帯端末が番組の視聴を開始すると、当該番組と同じ番組を録画する録画手段と、前記番組の視聴に対する障害を示す状態情報を前記携帯端末から受信する受信手段と、前記受信手段により前記携帯端末から受信した状態情報に基づいて、前記番組視聴に障害が発生した場合は、前記録画手段により録画した番組を保存し、前記番組視聴に障害がない場合は、前記録画手段により録画した番組を消去するように制御する制御手段とを具えることを特徴とする。
【発明の効果】
【０００８】
本発明によれば、携帯端末が放送番組の受信を開始したことを示す受信開始情報録画開始情報に基づいて放送番組の録画を開始し、携帯端末が放送番組の受信を終了したことを示す終了情報に基づいて放送番組の録画を終了し、携帯端末の放送番組受信中の状態を示す状態情報に基づいて放送番組の録画のデータを消去又は加工する。これによって、状態情報、すなわち、携帯端末に対する電波状態の変化又は携帯端末の動作に応じて、好適な放送番組（テレビ番組）の録画を行うことができるようになる。
【発明を実施するための最良の形態】
【０００９】
本発明による記録方法及び装置の実施の形態を、図面を参照しながら詳細に説明する。
図１は、本発明による記録装置の実施の形態を有するシステムを示すブロック図である。このシステムは、映像配信部１と、携帯電話のような携帯端末２と、本発明による記録再生装置３と、インターネット網４とを具える。
【００１０】
映像配信部１は、主に動画像や音声を携帯端末２及び記録再生装置３に同一の放送（例えば、地上波デジタル放送）を配信するものであり、衛星放送やテレビ局等が該当する。携帯端末２は、音声通話やメール送信可能な携帯電話に映像受信装置が内蔵され、端末の状態を情報としてインターネット網や無線電話網に接続可能な装置であり、映像受信部２１と、メール送受信部２２と、情報送信部２３と、電話送受信部２４と、操作部２５と、状態検出部２６と、時間検出部２７とを有する。
【００１１】
記録再生装置３は、テレビチューナ（図示せず）を具え、携帯端末２の情報をインターネット網４から受け取り、情報に応じて番組を録画するとともに、録画したデータを保存し、加工し又は消去する装置であり、映像受信部３１と、情報送受信部３２と、情報判断部３３と、制御部３４と、記録媒体３５とを有する。インターネット網４は、携帯端末２の情報送信部２３から記録再生装置３の情報送受信部３２への片方向データ配信に利用される。
【００１２】
ここで、携帯端末２の各部について説明する。映像受信部２１は、映像配信部１で配信された動画像や音声を選択的に受信し、携帯端末２の画像表示装置や音声報知用のスピーカ（共に図示せず）にデータを送る。メール送受信部２２は、携帯端末２のキーボード等で作られたデータを、インターネット網４などを通じて送信し、インターネット網４などから受信したデータを携帯端末２の画像表示装置に表示する。情報送信部２３は、映像受信部２１の動作に関連して状態変化や時間情報を、インターネット網４などを通じて送信する。電話送受信部２４は、相手先として携帯端末２のキーボードから入力された相手装置に対して、マイクロホン（図示せず）によって集音した音声を送信し、相手の音声をスピーカから報知させる。操作部２５は、映像受信部２１でのチャンネル、音量等の選択、メール送受信部２２での文章の作成等の入力、電話送受信部２４での相手電話番号入力などに使われる。状態検出部２６は、映像配信部１の起動時、終了時及び起動中に、映像受信部２１の受信状態、メール送信受信部２２の動作、電話送受信部２４の動作、映像受信に関わる操作部２５の動作等の情報を作成する。時間検出部２７は、主に、状態検出部２６で得られた情報の時間を検出し、情報送信部２３が起動する時間も検出する。
【００１３】
次に、記録再生装置３の各部について説明する。映像受信部３１は、携帯端末２の映像受信部３１とチャンネル間の相関をとりながら映像配信部１で配信された動画像や音声を選択的に受信する。情報送受信部３２は、インターネット網４を通じて携帯端末２の情報送信部２３から送られてきた情報を受ける。情報判断部３３は、情報送受信部３２で受信した情報内容を判断する。制御部３４は、情報判断部３３により得られた情報に応じた制御を行う。記録媒体１５は、制御部３４により、映像受信部３１によって選択されたデータを録画するとともに、録画したデータを保存し、加工し又は消去する。
【００１４】
携帯端末２及び記録再生装置３において、携帯端末２から送られてくる情報に対応して、携帯端末２の視聴エリアと記録再生装置３の設置場所の視聴エリアが異なるとき、すなわち、記録再生装置３が携帯端末２と異なる視聴エリアにいるために、記録再生装置３が携帯端末２の受信する番組と異なる番組を受信しうる場合の動作例と、記録再生装置３が同時録画を行い、チャンネル変更をし、又は、番組を消去する方法の一例について、本発明による記録方法の一実施の形態として図２のフローチャートを用いて説明する。
【００１５】
外出先において携帯端末２でテレビ視聴する場合、操作部２５により映像受信部２１を起動させ、映像受信部２１は、映像配信部１から動画像や文字データ等を受信し、これら動画像や文字データ等を携帯端末２の表示装置に表示させる。一方、音声も同様に、映像配信部１からの音声データも映像受信部２１で受信され、携帯端末２に搭載されているスピーカ又はイヤホンジャック（図示せず）を経由してイヤホン等で音声を聴くことができる（Step101）。
【００１６】
次に、状態検出部２６により、携帯端末２における視聴エリアを検出し、携帯端末２が受信しているテレビ番組の同期録画を開始するテレビ視聴開始情報を作成する。視聴エリアの情報としては、ＧＰＳ（Global Positioning System）による位置情報、電子番組表（EPG:Electronic Program Guide）からの情報、番組に付加されている番組名等の特定可能な情報等を挙げることができる。また、携帯端末２側に判断機能を追加すれば、視聴エリア情報を検出し、固定側の記録再生装置３と差違を検出し、テレビ視聴情報を送信しない方法も可能である。さらに、状態検出部２６によって携帯端末２の視聴チャンネルを検出し、時間検出部２７によって視聴開始の時間を検出し、テレビ視聴開始情報を追加する。なお、時間検出部２７において、必要に応じて年月日等を付加することも可能である(Step102)。
【００１７】
次に、情報送信部２３又はメール送受信部２２によって、テレビ視聴開始情報を、インターネット網４を通じて、事前に指定されている記録再生装置３に配信する(Step103)。記録再生装置３の情報送受信部３２が、携帯端末２で作成されたテレビ視聴開始情報を受け取る(Step104)と、情報送受信部３２で受け取ったテレビ視聴開始情報を、情報判断部３３で内容解析し、情報判断部３３において、携帯端末２が記録再生装置３の視聴エリアと同一エリアにあるか否かの判断を行う(Step105)。視聴エリアが違う場合、映像受信部３１や記録媒体３５を起動することなく終了する。但し、視聴エリアが異なっていても全国ネットで放送されている番組も想定できるので、視聴エリアだけで判断せずに電子番組表のタイトル情報や番組を特定できる文字、データ、コード等を利用して、対応する番組が存在するか否かを判断することが望ましい。これによって、携帯端末２の受信開始時に存在する視聴エリアが、記録再生装置３が放送番組の録画を行っている箇所の視聴エリアと異なり、携帯端末２が受信している番組が、記録再生装置３が放送番組の録画を行っている箇所の放送エリアに存在しない場合、テレビ視聴開始情報に基づく放送番組の録画を中止することができる。電子番組表は、放送やインターネット上等から得ることが可能である。
【００１８】
携帯端末２が記録再生装置３の視聴エリアと同一エリアにある場合、制御部３４によって映像受信部３１を起動し、テレビ視聴開始情報に沿った受信チャンネルを選局する。さらに、制御部３４によって記録媒体３５も起動し、映像受信部３１で受信した番組の録画を開始する、すなわち、映像受信部３１で受信した番組のデータを記録媒体３５に記録する。録画するに当たり、テレビ視聴開始情報の視聴開始時間を基準としたタイムコードを、番組と共に記録させる。(Step106)
【００１９】
携帯端末２でテレビ視聴中の視聴者が、操作部２５を用いて他のチャンネルに切り替える(Step107)と、視聴チャンネルが切り替えられたことが状態検出部２６によって検出され、視聴チャンネルが切り替えられたことを示すテレビ視聴情報が作成され(Step108)、メール送受信部２２又は情報送信部２３により、インターネット網４を通じて記録再生装置３にテレビ視聴情報を配信する(Step109)。
【００２０】
記録再生装置３の情報送受信部３２は、携帯端末２で作成されたテレビ視聴情報を受け取り(Step110)、情報送受信部３２で受け取ったテレビ視聴情報を、情報判断部３３で内容解析し、解析結果に基づいて、制御部３４は、テレビ視聴情報に沿った受信チャンネルに切り替える(Step111)。
【００２１】
携帯端末２でテレビ視聴中の視聴者が、操作部２５を用いてテレビの視聴を終了する(Step112)。なお、携帯端末２側のテレビ視聴は、テレビの視聴を終了させる際に、自宅の記録再生装置３で現視聴の番組終了まで記録させることを選択することもできる。携帯端末２でのテレビ視聴は終了させるが、記録再生装置３の録画は番組終了まで延長して録画させるための終了延長確認用画面を示す画面例を、図３に示す。
【００２２】
次に、テレビ視聴が終了したことを状態検出部２６により検出し、テレビ視聴終了情報を作成し(Step113)、メール送受信部２１又は情報送信部２３により、インターネット網４を通じて記録再生装置３にテレビ視聴終了情報を配信する(Step114)。記録再生装置３側では、情報送受信部３２が、携帯端末２で作成されたテレビ視聴終了情報を受け取る(Step115)。
【００２３】
情報送受信部３２で受け取ったテレビ視聴終了情報を、情報判断部３３で判断し、制御部３４によって記録媒体３５の番組録画を停止させ、映像受信部３１の動作を終了させる。但し、現視聴の番組終了まで記録させることを選択した場合、番組終了時に記録再生装置３の記録を終了させる。また、テレビ視聴終了情報に従って、制御部３４によって、記録媒体３５に記録された番組の視聴開始時間を基準としたタイムコードより、視聴開始から終了までの番組を消去する(Step116)。これによって、携帯端末２の受信状態が良好でない場合や、携帯端末の動作（通話、メールの受信等）がない場合、録画データを消去することができる。記録媒体３５は頭出しが簡単で、録画、消去しやすいＨＤＤ（ハードディスク）、ＤＶＤ又はメモリのような機器が適している。
【００２４】
次に、テレビ視聴終了時に携帯端末２がテレビ視聴終了情報を送信できず、再送を繰り返した時の動作例について、本発明による記録方法の他の実施の形態として図４のフローチャートを用いて説明する。
【００２５】
この場合、携帯端末２でテレビ視聴中の視聴者が操作部２５によってテレビの視聴を終了する(Step201)と、テレビ視聴が終了したことを状態検出部２６によって検出してテレビ視聴終了時間情報を作成し、現時間を送信時間情報としてテレビ視聴終了情報に付加する(Step202)。
【００２６】
メール送受信部２２又は情報送信部２３により、インターネット網４を通じて記録再生装置３にテレビ視聴終了情報を配信するが、携帯端末２が携帯電話網に接続できず、未送信の状態になると、一定の時間経過後にＳｔｅｐ２０２に戻り、送信時間情報のみ修正し再度、携帯電話網に接続する。このループは、接続できるまで繰り返すが、携帯端末２の電池の消耗を考慮すると、再送信間隔を１回目、２回目、３回目と回数が増すごとに再送信の間隔を長くすることが望ましい(Step203)。
【００２７】
記録再生装置３の情報送受信部３２が、携帯端末２で作成されたテレビ視聴終了情報を受け取る(Step204)と、情報送受信部３２で受け取ったテレビ視聴終了情報を、情報判断部３３で判断し、制御部３４により記録媒体３５の番組録画を停止させ、映像受信部３１の動作を終了させる。また、テレビ視聴終了情報のテレビ視聴終了時間と、送信時間とを比較し(Step205)、ほぼ一致していれば映像受信部３１の停止時間と視聴終了時間とが同一であったと判断できる。
【００２８】
それに対して、テレビ視聴終了情報のテレビ視聴終了時間と送信時間とが一致していなければ、送信が遅くなり、記録再生装置３が無駄な録画を行っていたと判断し、視聴開始時間を基準としたタイムコードから受信した視聴終了時間情報に基づいて、視聴終了時間位置を検出し、それ以降の番組を消去する(Step206)。
【００２９】
次に、携帯端末２でテレビ視聴中にメール又は電話の着信があり、これによってテレビ視聴が一時的に困難になったときの記録再生装置３の動作例について、本発明による記録方法の他の実施の形態として図５のフローチャートを用いて説明する。
【００３０】
この場合、携帯端末２でテレビ視聴中の視聴者が、操作部２５を用いてテレビの視聴を終了する(Step301)と、状態検出部２６により、テレビの視聴終了を検出し、テレビ視聴時間中にメール受信部２２及び電話送受信部２４が起動したときは、起動開始時間及び起動終了時間の情報を、時間検出部２７によって作成し、また、映像受信部２１において受信感度が低下し、画像が止まる、画像の表示ができない、音声が正しく再生できない等の不具合が生じた場合、不具合の発生時間と解消時間の情報を、時間検出部２７によって作成し、テレビ視聴終了情報に追加する。また、緊急警報放送を受信した場合やテレビの音声を聞きながら画面は別のアプリケーションを立ち上げて操作している場合も、時間検出を行い、テレビ視聴終了情報に追加することもできる。さらに、携帯端末２で視聴中に懸賞の宛先や料理番組のレシピ等必要な情報があった場合に操作部２５によりボタンなどを押すと、時間検出部２７によって操作した時間をテレビ視聴終了情報に追加することによって、後から自宅のテレビで確認することもできる。携帯端末２でのテレビ視聴中に、記録再生装置３の録画番組を保存させるための番組保存用確認画面を示す画面例を、図６に示す(Step302)。
【００３１】
テレビ視聴終了情報は、メール送受信部２２又は情報送信部２３によりインターネット網１６を通じて記録再生装置３に配信され(Step303)、記録再生装置３の情報送受信部３２は、携帯端末２で作成されたテレビ視聴終了情報を受け取る(Step304)。情報送受信部３２で受け取ったテレビ視聴開始情報を、情報判断部３３で内容解析して、情報判断部３３の指示により、制御部３４は、記録媒体１５の番組録画を停止させ、映像受信部３１の動作も終了させる。その後、テレビ視聴終了情報に視聴困難情報や操作情報が含まれているかを判断する(Step305)。
【００３２】
テレビ視聴終了情報において視聴困難情報や操作情報等がない場合、制御部３４によって、記録媒体３５に記録された番組の視聴開始時間を基準としたタイムコードより視聴開始から終了までの番組を消去する(Step306)。それに対して、テレビ視聴終了情報において視聴困難情報や操作情報等がある場合、情報判断部３３は、メール受信と電話送受信の起動開始時間及び起動終了時間、テレビ視聴における不具合の発生時間及び解消時間、操作時間等の時間を判断し、制御部３４が、記録媒体３５に記録された番組の視聴開始時間を基準としたタイムコードより、該当する時間に相当する位置にチャプタを挿入する(Step307)。Ｓｔｅｐ２０７の後、記録媒体３５に記録された複数の番組において、チャプタが挿入されていない番組を制御部３４により消去する(Step308)。なお、消去しなくてもよい。
【００３３】
状態検出部２６により検出し、テレビ視聴情報を作成するとき又は情報判断部３３で情報を解釈するときに、全ての不具合情報などを時間情報のみで判断せずに障害情報により差別化することで、より使いやすくなる。例えば、メール等の受信時は着信時間より設定された時間分を早めた時間にチャプタを挿入し、受信終了後は画面復帰の時間を考慮し設定された時間分を加算し、チャプタを挿入させる。また、テレビ視聴における不具合では、視聴状態の良い時と悪い時を繰り返すことが想定されるので、設定された時間内に視聴状態の良い時と悪い時を繰り返す場合は、最初の不具合発生時間と設定された時間を越えた解消時間にチャプタを挿入することで、数多くのチャプタを挿入することが防げる。
【００３４】
視聴者の意志によって操作部２５を操作する場合も同様に、懸賞やレシピの情報が必要でチャプタを挿入する場合、操作部２５によりボタン等を押下した時間が必要になるが、現視聴の番組を残すためにチャプタを挿入する場合、番組の最初にチャプタを挿入したい場合と、後で続きのみを見るためにチャプタを挿入したい場合とに分かれることが想定される。以上のことから、チャプタを入れる場合も不具合等の状態により入れ方が異なることがわかる。
【００３５】
次に、携帯端末２でテレビ視聴開始時に記録再生装置３が録画中である場合の動作例について、本発明による記録方法の他の実施の形態として図７のフローチャートを用いて説明する。
【００３６】
この場合、外出先において、携帯端末２でテレビ視聴を開始する（Step401）と、状態検出部２６によって、携帯端末２における視聴チャンネルを検出し、時間検出部２７によって、視聴開始の時間を検出し、テレビ視聴開始情報を追加する(Step402)。次に、メール送受信部２２又は情報送信部２３により、インターネット網１６を通じて、事前に指定されている記録再生装置３にテレビ視聴開始情報を配信する(Step403)。
【００３７】
記録再生装置３の情報送受信部３２でテレビ視聴開始情報を受け取る(Step404)と、情報判断部３３で記録再生装置３の状態（記録中であるか否か）を確認し(Step405)、動作していない場合は本ルーチンを終了し、予約録画等により録画中のときはＳｔｅｐ４０６に進む。
【００３８】
記録再生装置３への録画ができない場合、その状態を検出し、情報送受信部３２により、記録再生装置３の状態情報を携帯端末２に送信する(Step406)。想定される状態としては、予約録画中、予約録画が設定されているので録画することで予約録画に影響が出るおそれがある場合、録画する残容量がない場合等があげられる。
【００３９】
記録再生装置３から送られてきた記録再生装置３の状態情報を、メール送受信部２２で受信し(Step407)、記録再生装置３の状態情報より、情報に応じたメッセージを表示する(Step408)。既に記録再生装置３が予約録画等により録画中であることを示す画面例を、図８に示す。
【００４０】
携帯端末２にて表示された指示に従い、操作部２５で割込録画するか否か判断する(Step409)。現在録画中の番組録画を中止して、携帯端末２で視聴中の番組を録画する場合、割込を選択する。それに対して、現在録画中の番組録画を優先させる場合、了解を選択し、携帯端末２で視聴中の番組は録画しない。
【００４１】
操作部２５で割込を選択すると、記録再生装置３の情報送受信部３２に情報を送信し、情報判断部３３により制御部３４へ指示することによって、記録媒体３５への録画を中止させ、映像受信部３１から指定の映像を選択して、録画を開始する。この場合、先に録画していた番組を消去することで録画容量を確保することもできる(Step410)。
【００４２】
次に、携帯端末２でテレビ視聴開始後に携帯端末２が携帯電話網の外へ移動し、視聴終了情報を送れないときの記録再生装置３の動作例について、本発明による記録方法の他の実施の形態として図９のフローチャートを用いて説明する。
【００４３】
この場合、メール送受信部２２又は情報送信部２３により、テレビ視聴情報を、インターネット網４を通じて記録再生装置３に配信する(Step501)と、記録再生装置３の情報送受信部３２は、携帯端末２で作成されたテレビ視聴情報を受け取る(Step502)。情報送受信部３２で受け取ったテレビ視聴情報を、情報判断部３３で内容解析し、解析結果に基づいて、テレビ視聴情報に沿った受信チャンネルを、制御部３４により録画する(Step503)。
【００４４】
次に、情報判断手段１３により、録画開始から一定時間経過しているかの判断を行う(Step504)。また、一定時間での判断ではなく、番組終了時をトリガーにすることも有効である。情報判断部３３によって、情報送受信部３２を利用して携帯端末２に情報の送信を行う。情報の送信の結果、携帯端末２からの応答があるかを判断する(Step505)。応答の確認方法としては、電話網を利用する場合は、着信することで応答があったと判断でき、インターネット網４を利用する場合は、携帯端末２からの受信確認又は返信メールにて応答判断と考えることもできる。
【００４５】
携帯端末２からの応答がある場合、次の番組も続けて視聴していることがわかるので録画を継続し(Step506)、それに対して、携帯端末２からの応答がない場合、携帯端末２が携帯電話網の圏外にいると判断し、録画を停止する(Step507)。
【００４６】
次に、記録再生装置３が録画中に携帯端末２の電池が残量不足（Low Battery）になったときの動作例について、本発明による記録方法の他の実施の形態として図１０のフローチャートを用いて説明する。この時の状態は、携帯電話２でテレビを既に視聴開始しており、一方、記録再生装置３は、テレビ視聴情報に沿った受信チャンネルを録画中である。
【００４７】
携帯端末２側において、携帯端末２の電池残量を状態検出部２６で検出し、電池残量が不足しているか否か判断する(Step601)。この場合、情報送信可能な電池残量状態でＬｏｗ  Ｂａｔｔｅｒｙとし、不具合情報に電池残量不足の情報を付加して情報送信部２３から情報を送信する(Step602)。このときに、携帯端末２の表示画面にLow Batteryを表示して、携帯端末側でのテレビ視聴はあきらめるが、続きを番組終了まで録画するかどうかユーザに選択させることもできる。
【００４８】
次に、記録再生装置３の情報送受信部３２で情報を受信し、情報判断部３３により制御部３４によって映像受信部３１及び記録媒体３５を制御する。ユーザの選択により録画中止の場合は、映像受信部３１の電源を止め、記録媒体１５の録画を停止させる。その後、不具合情報に応じた処理を行う（Step603）。
【００４９】
また、Ｌｏｗ  Ｂａｔｔｅｒｙを検出した瞬間に携帯電話網の圏外へ移動してしまい、情報が送れない場合や、図９のフローチャートで説明したシステムにおいて送信装置を搭載させたくない場合などを考慮すると、終了情報が得られないと記録媒体３５の容量が許す限り録画をすることになってしまう。したがって、携帯端末２でのテレビ視聴可能時間を記録再生装置３に予め登録しておき、録画情報を受けた後、携帯端末２から終了情報等が送られて来ない場合は、登録した携帯端末２でのテレビ視聴可能時間で録画を停止させることが望ましい。又は、指定された番組の放送終了時刻まで録画することが望ましい。なお、放送終了時刻は、番組情報に記述されている情報やＥＰＧ（電子番組表）等により判断される。ユーザの選択により録画延長の場合は、番組終了まで録画を続け、Ｓｔｅｐ３０５に移行させる(Step604)。
【００５０】
携帯端末２におけるテレビ視聴開始に伴うデーターフォマットと視聴終了時のデーターフォマット例を、図１１を用いて説明する。
【００５１】
携帯端末２でテレビ視聴を開始すると、テレビ視聴開始情報を作成する。このときのデーターフォマット例を図１１Ａに示す。Time mにテレビ視聴を開始し、情報判断部３３により、制御部３４で映像受信部３１及び記録媒体３５を制御する。Event:Power onにて映像受信部３１及び記録媒体３５の電源を投入する。続いて、Event:Change CHにて映像受信部３１のチャンネルを変更し、Event:Rec Startにて記録媒体３５への録画を開始させる。
【００５２】
次に、携帯端末２でテレビ視聴を終了したときのデーターフォマット例を、図１１Ｂに示す。この場合、時間的に一番最後のTime n-20、Event:Rec/Power Endにて、映像受信部３１の電源ＯＦＦ及び記録媒体３５の録画停止が最初に行われる。したがって、時間順で書かれたフォーマットでは、終了のフォーマットと判断できるようにする必要がある。また、処理の順番にEventが書かれているフォーマットであれば、Event:Rec/Power Endを最初に書きこむ必要がある。録画を停止させてから、Eventに合わせた時間にチャプタを挿入していく。
【００５３】
以上説明したように、本実施の形態によれば、携帯端末でテレビ視聴を開始すると、固定側の記録再生装置も同じ番組を録画開始し、テレビ視聴に対する障害がなく視聴が終わると固定側の記録再生装置の録画番組を消去ことができる。テレビ視聴終了時に携帯端末が圏外にあるときには、固定側の記録再生装置をリアルタイムで止めることができないが、携帯端末が圏内に復帰したときにテレビ視聴終了時間からそれ以降のデータを消去することができる。テレビ視聴エリアが携帯端末と固定記録再生装置で異なり、携帯端末で視聴している番組が記録再生装置のテレビ視聴エリアに存在しない場合、携帯端末で見ている番組を録画することができないので録画しない。以上の結果、不必要なファイルを残すことがないので、記録再生装置の記録領域を有効に使うことが出来る。
【００５４】
また、テレビ視聴中に電話受信、メール受信、テレビの視聴不具合等が発生した番組や視聴者が必要と感じたシーンは、チャプタを挿入するとともに消去しない。以上のことにより、携帯端末において障害等で視聴できなかった番組を、複雑な操作をすることなく帰宅後に見ることができる。さらに、視聴できなかった場面にチャプタが入るので、その部分だけを直接選択して見ることもできる。
【００５５】
本発明は、上記実施の形態に限定されるものではなく、幾多の変更及び変形が可能である。
例えば、情報の伝達は、インターネット網４を通じたものに限定されず、テレビ視聴開始情報を伝達できる場合には、音声の電話網等を通じた伝達も行うことができる。また、上記実施の形態において、記録と再生を同一機器で行う場合について説明したが、記録と再生を個別の機器で行うこともできる。
【図面の簡単な説明】
【００５６】
【図１】本発明による記録装置の実施の形態を有するシステムを示すブロック図である。
【図２】本発明による記録方法の一実施の形態を示すフローチャートである。
【図３】記録装置の録画は番組終了まで延長して録画させるための終了延長確認用画面の一例を示す図である。
【図４】本発明による記録方法の他の実施の形態を示すフローチャートである。
【図５】本発明による記録方法の他の実施の形態を示すフローチャートである。
【図６】携帯端末でのテレビ視聴中に記録装置の録画番組を保存させるための番組保存用確認画面の一例を示す図である。
【図７】本発明による記録方法の他の実施の形態を示すフローチャートである。
【図８】既に記録装置が予約録画等により録画中であることを示す画面の一例を示す図である。
【図９】本発明による記録方法の他の実施の形態を示すフローチャートである。
【図１０】本発明による記録方法の他の実施の形態を示すフローチャートである。
【図１１】携帯端末におけるテレビ視聴開始に伴うデーターフォマットと視聴終了時のデーターフォマット例を示す図である。
【符号の説明】
【００５７】
１  映像配信部
２  携帯端末
３  記録再生装置
４  インターネット網
２１，３１  映像受信部
２２  メール送受信部
２３，３２  情報送信部
２４  電話送受信部
２５  操作部
２６  状態検出部
２７  時間検出部
３３  情報判断部
３４  制御部
３５  記録媒体
【図１】
0004641951.tif 000002
【図２】
0004641951.tif 000003
【図３】
0004641951.tif 000004
【図４】
0004641951.tif 000005
【図５】
0004641951.tif 000006
【図６】
0004641951.tif 000007
【図７】
0004641951.tif 000008
【図８】
0004641951.tif 000009
【図９】
0004641951.tif 000010
【図１０】
0004641951.tif 000011
【図１１】
0004641951.tif 000012